(57)【要約】      （修正有）【課題】メディア音源の再生と充電機能を備えたＵＳＢ−ＨＵＢを提供する。【解決手段】ＵＳＢインターフェイスを外部装置と連接するように拡張する外に、メディア音源の再生と充電機能を支援し、ＵＳＢ−ＨＵＢはＵＳＢホストユニット１、ＵＳＢ拡張ユニット２０、２１、２２、２３、ＵＳＢコントローラー３、及び外部電源４より構成され、第一ＵＳＢ拡張ユニット２０のバスは、音源出力支援を備えてなり、第一ＵＳＢ拡張ユニットとＵＳＢコントローラーとの間には論理スイッチを連接してなり、該論理スイッチの他端にはＵＳＢホストユニット１或いは外部電源４の電源供給端子が接続されることを特徴とするＵＳＢ−ＨＵＢ。【選択図】図２
0003121917.tif 000002
【実用新案登録請求の範囲】
【請求項１】
ＵＳＢホストユニット、複数のＵＳＢ拡張ユニット、ＵＳＢホストユニットとＵＳＢ拡張ユニットとの間を連接するＵＳＢコントローラー、及び外部電源より構成され、
ＵＳＢホストユニットはホストコンピュータとシステムを接続することに用いられ、他のＵＳＢ拡張ユニットを支援することにより周辺機器或いはコンピュータの使用を提供し、
少なくとも一つのＵＳＢ拡張ユニットのバスは音源出力の支援を備え、該ＵＳＢ拡張ユニットとＵＳＢコントローラーとの間は論理スイッチが連接され、該論理スイッチの他端はＵＳＢホストユニット或いは外部電源の電源供給端子が連接されることを特徴とするＵＳＢ−ＨＵＢ。
【請求項２】
前記ＵＳＢホストユニット、複数のＵＳＢ拡張ユニット、ＵＳＢホストユニットとＵＳＢ拡張ユニットとの間を連接するＵＳＢコントローラー、及び論理スイッチは一つに筐体に設けられ、特に該音源出力支援を備えるＵＳＢ拡張ユニットは筐体の上部に設けられ、ＭＰ３  Ｐｌａｙｅｒ或いはＭｅｄｉａＰｌａｙｅｒ等の装置を直立方式で載置することを可能にすることを特徴とする請求項１記載のＵＳＢ−ＨＵＢ。
【請求項３】
前記筐体の予め定められた位置には外部電源と連接する第一スロット及びイヤホン或いはスピーカーと連接する第二スロットが設けられ、該第二スロットはＵＳＢ拡張ユニットの音源出力構造を接続してなることを特徴とする請求項２記載のＵＳＢ−ＨＵＢ。
【考案の詳細な説明】
【技術分野】
【０００１】
本考案は、ＵＳＢ拡張インターフェイスにより外部装置を連接するだけではなく、更にメディア音源の再生と充電機能を支援するＵＳＢ−ＨＵＢに関する。
【背景技術】
【０００２】
ＵＳＢ（Ｕｎｉｖｅｒｓａｌ  Ｓｅｒｉａｌ  Ｂｕｓ）は既に多くの電子機器に応用されてなり、通信接続インターフェイスシステムの標準となっている。ＵＳＢインターフェイスにより、各周辺機器はＵＳＢのバスを経由してパソコンに連接することができ、周辺機器の規格が異なる為にパソコンに接続不可能になる問題を解決している。この外、ＵＳＢはＰｌｕｇ  ａｎｄ  Ｐｌａｙの機能特性を具有し、ＵＳＢ周辺機器を導入或いは削除する時に、パソコンの電源をシャットダウンする必要がなく、別途デバイスドライバを導入する必要もなくなっている。
【０００３】
ＵＳＢインターフェイスを拡張する為、通常はＵＳＢホストユニットがＵＳＢコントローラーを経由することにより複数のＵＳＢ拡張ユニットに連接してなり、一つのＨＵＢに整合してなることが可能である。公知のＵＳＢ−ＨＵＢは拡張機能を具有する以外に、他の支援を提供しておらず、例えばＭＰ３  Ｐｌａｙｅｒ或いはＭｅｄｉａＰｌａｙｅｒ等の音源の出力はその用途の制限を受けているのである。
【特許文献１】特開２００４−３２８２６２
【考案の開示】
【考案が解決しようとする課題】
【０００４】
ＵＳＢ−ＨＵＢの機能を増やす為、本考案は、ＵＳＢインターフェイスを外部装置と連接するように拡張する外に、メディア音源の再生と充電機能を支援するように設計してなり、第一ＵＳＢ拡張ユニットとＭＰ３  Ｐｌａｙｅｒ或いはその他の音源メディア装置を連接する時、該論理スイッチは信号を測定し第一ＵＳＢ拡張ユニットがデータ転送の動作を実行するのを切断し、ＵＳＢホストユニット或いは外部電源の電源供給が該連接された装置に充電或いは音楽再生の出力を実行し、使用者がスピーカー或いはイヤホンを接続するだけで視聴することが可能となることを特徴とするＵＳＢ−ＨＵＢを提供することを目的とする。
【０００５】
本考案は更に、該ＵＳＢ−ＨＵＢがＭＰ３  Ｐｌａｙｅｒの載置台としてなり、ＵＳＢホストユニットとパソコンが連接された状態或いは外部電源のみが連接された状態で、ＭＰ３  Ｐｌａｙｅｒ或いはＭｅｄｉａ  Ｐｌａｙｅｒに充電を提供することを目的とする。
【課題を解決するための手段】
【０００６】
上記課題を解決するために、本考案は下記の特徴を有するＵＳＢ−ＨＵＢを提供する。
１．請求項１に記載のＵＳＢ−ＨＵＢは、ＵＳＢホストユニット、複数のＵＳＢ拡張ユニット、ＵＳＢホストユニットとＵＳＢ拡張ユニットとの間を連接するＵＳＢコントローラー、及び外部電源より構成され、ＵＳＢホストユニットはホストコンピュータとシステムを接続することに用いられ、他のＵＳＢ拡張ユニットを支援することにより周辺機器或いはコンピュータの使用を提供し、少なくとも一つのＵＳＢ拡張ユニットのバスは音源出力の支援を備え、該ＵＳＢ拡張ユニットとＵＳＢコントローラーとの間は論理スイッチが連接され、該論理スイッチの他端はＵＳＢホストユニット或いは外部電源の電源供給端子が連接されることを特徴とする。
２．請求項２に記載のＵＳＢ−ＨＵＢは、請求項１の場合において、
前記ＵＳＢホストユニット、複数のＵＳＢ拡張ユニット、ＵＳＢホストユニットとＵＳＢ拡張ユニットとの間を連接するＵＳＢコントローラー、及び論理スイッチは一つに筐体に設けられ、特に該音源出力支援を備えるＵＳＢ拡張ユニットは筐体の上部に設けられ、ＭＰ３  Ｐｌａｙｅｒ或いはＭｅｄｉａＰｌａｙｅｒ等の装置を直立方式で載置することを可能にすることを特徴とする。
３．請求項３に記載のＵＳＢ−ＨＵＢは、請求項２の場合において、
前記筐体の予め定められた位置には外部電源と連接する第一スロット及びイヤホン或いはスピーカーと連接する第二スロットが設けられ、該第二スロットはＵＳＢ拡張ユニットの音源出力構造を接続してなることを特徴とする。
【考案の効果】
【０００７】
ＵＳＢ−ＨＵＢの機能を増やす為、本考案は、ＵＳＢインターフェイスを外部装置と連接するように拡張する外に、メディア音源の再生と充電機能を支援するように設計してなり、第一ＵＳＢ拡張ユニットとＭＰ３  Ｐｌａｙｅｒ或いはその他の音源メディア装置を連接する時、該論理スイッチは信号を測定し第一ＵＳＢ拡張ユニットがデータ転送の動作を実行するのを切断し、ＵＳＢホストユニット或いは外部電源の電源供給が該連接された装置に充電或いは音楽再生の出力を実行し、使用者がスピーカー或いはイヤホンを接続するだけで視聴することが可能となる。
【考案を実施するための最良の形態】
【０００８】
図１に示すように、本考案のＵＳＢ−ＢＵＳはＵＳＢホストユニット１、複数のＵＳＢ拡張ユニット２０，２１，２２，２３、ＵＳＢホストユニット１とＵＳＢ拡張ユニット２０，２１，２２，２３との間を連接するＵＳＢコントローラー３、及び外部電源４より構成される。
【０００９】
ＵＳＢホストユニット１はホストコンピュータ等とシステムを接続するケーブル１０を利用し、その他のＵＳＢ拡張ユニット２０，２１，２２，２３を支援することにより周辺機器或いはコンピュータの使用を提供する。
【００１０】
少なくとも第一ＵＳＢ拡張ユニット２０のバスは、音源出力支援を備えてなり、図に示すように、該第一ＵＳＢ拡張ユニット２０内にはＡｕｄｉｏＬとＡｕｄｉｏＲの接続端子を備えてなり、該第一ＵＳＢ拡張ユニット２０とＵＳＢコントローラー３との間には論理スイッチ５を連接してなり、該論理スイッチ５の他端にはＵＳＢホストユニット１或いは外部電源４の電源供給端子が接続されてなる。
【００１１】
したがって、第一ＵＳＢ拡張ユニット２０とＭＰ３  Ｐｌａｙｅｒ６或いはその他の音源メディアの装置を接続する時、データの転送或いは保存を行うだけではなく、音楽を再生したい場合には、該論理スイッチ５が信号を読み取りＵＳＢ拡張ユニット２０がデータ転送等の動作を切断し、連接されたＵＳＢホストユニット１或いは外部電源４の電源供給により連接する装置に充電及び音楽再生の出力を実行させ、使用者がスピーカー或いはイヤホンを接続するだけで、視聴可能となる。
【００１２】
本考案の具体的な構築実施例は、図２に示すように、該ＵＳＢ−ＨＵＢは上述のユニットより構成される筐体７を備えてなり、ＵＳＢホストユニット１、及び各拡張ユニット２１，２２は該筐体７の周りに設置され、特にＵＳＢ拡張ユニット２０は筐体７の上部７０に設置され、Ｍｐ３  Ｐｌａｙｅｒ６或いはＭｅｄｉａ  Ｐｌａｙｅｒ等の装置が直立方式で挿入設置することができ、該筐体７を載置台として使用することができる（図３参照）。
【００１３】
更に、該筐体７の予め定められた位置には、外部電源４と接続する第一スロット７１及びイヤホン或いはスピーカー８と外部接続する第二スロット７２を設けてなり、該第二スロット７２は上述の第一ＵＳＢ拡張ユニット２０の音源出力と接続してなる。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１５】
【図１】本考案の電気回路図である。
【図２】本考案の実施状態の参考図である。
【図３】本考案のＨＵＢをメディア再生装置の載置台として使用した参考図である。
【符号の説明】
【００１６】
１  ＵＳＢホストユニット
１０  ＵＳＢホストユニットとパソコンの接続ケーブル
２０  第一ＵＳＢ拡張ユニット
２１、２２、２３  その他のＵＳＢ拡張ユニット
３  ＵＳＢコントローラー
４  外部電源
５  論理スイッチ
６  ＭＰ３  Ｐｌａｙｅｒ
７  筐体
７０  筐体上部
７１  第一スロット
７２  第二スロット
８  スピーカー
【図１】
0003121917.tif 000003
【図２】
0003121917.tif 000004
【図３】
0003121917.tif 000005